(57)【特許請求の範囲】
【請求項１】
カムドライバ支持基台に固定的に支持されるようになっているカムドライバと、カムドライバの滑り面に移動自在に接触するように、当該滑り面と相補的な形状の滑り面を有しており、移動方向に対して直交する方向に長く伸びているカムスライドと、カムスライドの滑り面とカムドライバの滑り面との当接により、カムドライバの滑り面に案内されてカムスライドが移動し得るように、当該カムスライドを移動自在に支持するカムスライド支持基台と、位置決め機構とを備えており、カムドライバは、カムスライドの長手方向において互いに分離された複数のカムドライバ部材を有しており、カムドライバ部材の夫々は、滑り面を有しており、カムスライドは、カムドライバ部材の夫々の滑り面に移動自在に接触するように、当該各滑り面と相補的な形状の滑り面を有しており、カムスライド支持基台は、カムスライドの長手方向において互いに分離された複数のカムスライド支持部材を具備して、このカムスライド支持部材の夫々において、カムスライドを移動自在に支持しており、位置決め機構は、カムドライバに固着されていると共に上面側が断面略凸Ｖ形に形成された摺動嵌合受部材と、カムスライドに固着されていると共に下面側が摺動嵌合受部材の断面略凸Ｖ形の上面側に相補的な断面略凹Ｖ形に形成された摺動嵌合部材とを具備しており、摺動嵌合受部材の断面略凸Ｖ形の上面側と摺動嵌合部材の断面略凹Ｖ形の下面側との互いの摺動自在な嵌合により、カムドライバ部材の夫々に対応して、カムスライドをカムドライバに対して移動方向に対して直交する方向に関して位置決めするようになっているカム装置。
【請求項２】
吊りカムタイプのカム装置であって、カムスライドの長手方向両端部を移動自在に支持するカムスライド支持部材は、カムスライドを吊り下げる吊り下げ機構を具備している請求項１に記載のカム装置。
【請求項３】
両端部のカムスライド支持部材は、互いに同形であって対称に配されている請求項２に記載のカム装置。
【請求項４】
両端部のカムスライド支持部材の間に他の複数のカムスライド支持部材が配される場合には、当該他の複数のカムスライド支持部材は、互いに同形に形成されている請求項２又は３に記載のカム装置。
【請求項５】
吊りカムタイプのカム装置であって、カムドライバ部材は、互いに同形に形成されている請求項１から４のいずれか一項に記載のカム装置。
【請求項６】
カムスライド支持部材の夫々に対応して、カムスライドを初期位置に復帰させる復帰機構が配されている請求項１から５のいずれか一項に記載のカム装置。
【請求項７】
カムスライド支持基台は、複数のカムスライド支持部材を共に固定するために共用の固定板を更に具備しており、この共用の固定板を介して複数のカムスライド支持部材は基盤に固定されている請求項１から６のいずれか一項に記載のカム装置。
【発明の詳細な説明】
【０００１】
【発明の属する技術分野】
本発明は、カムドライバによりカムスライドを摺動させて、カムスライドに装着された工具により薄板等の被加工物に孔あけ、折り曲げ等の加工を施すカム装置並びにそれに用いられるカムスライド支持部材及びカムドライバ部材に関する。
【０００２】
【発明が解決しようとする課題】
カム装置は、通常、カムドライバ支持基台に固定的に支持されるようになっているカムドライバと、カムドライバの滑り面に移動自在に接触するように、当該滑り面と相補的な形状の滑り面を有したカムスライドと、カムスライドの滑り面とカムドライバの滑り面との当接により、カムドライバの滑り面に案内されてカムスライドが移動し得るように、当該カムスライドを移動自在に支持するカムスライド支持基台とを備えている。そして、斯かるカム装置において、長尺のカムスライドを用いる場合には、それに対応して、長尺のカムスライド支持基台が用いられている。
【０００３】
ところで、上記のように長尺のカムスライドに対応して、長尺のカムスライド支持基台を用いてカム装置を形成するようにすると、カムスライドの長さを変える毎に、その長さに対応したカムスライド支持基台を準備しなければならず、極めて汎用性に欠けるという問題がある。このような問題は、カムドライバについても同様に生じ得るのである。
【０００４】
本発明は、前記諸点に鑑みてなされたものであって、その目的とするところは、カムスライドの長短に応じてカムスライド支持基台及びカムドライバを準備する必要がなく、極めて汎用性に優れたカム装置を提供することにある。
【０００５】
【課題を解決するための手段】
本発明の第一の態様のカム装置は、カムドライバ支持基台に固定的に支持されるようになっているカムドライバと、カムドライバの滑り面に移動自在に接触するように、当該滑り面と相補的な形状の滑り面を有しており、移動方向に対して直交する方向に長く伸びているカムスライドと、カムスライドの滑り面とカムドライバの滑り面との当接により、カムドライバの滑り面に案内されてカムスライドが移動し得るように、当該カムスライドを移動自在に支持するカムスライド支持基台とを備えており、このカム装置では、カムスライド支持基台が、カムスライドの長手方向において互いに分離された複数のカムスライド支持部材を具備して、このカムスライド支持部材の夫々において、カムスライドを移動自在に支持している。
【０００６】
第一の態様のカム装置では、カムスライド支持基台が互いに分割された複数のカムスライド支持部材からなるので、カムスライドの長短に応じて、カムスライド支持部材の個数を決定して、この決定した個数のカムスライド支持部材でカム装置を形成でき、而して、カムスライドの長短に応じた長さのカムスライド支持基台を形成する必要がなく、製造コストを大幅に低減できて、極めて汎用性に優れたものとできる。
【０００７】
本発明の第二の態様のカム装置では、第一の態様のカム装置において、カムドライバは、カムスライドの長手方向において互いに分離された複数のカムドライバ部材を具備しており、カムドライバ部材の夫々は、滑り面を有しており、カムスライドは、カムドライバ部材の夫々の滑り面に移動自在に接触するように、当該各滑り面と相補的な形状の滑り面を有している。
【０００８】
第二の態様のカム装置によれば、カムドライバが互いに分割された複数のカムドライバ部材からなるので、カムスライドの長短に応じて、カムドライバ部材の個数を決定して、この決定した個数のカムドライバ部材でカム装置を形成でき、カムスライドの長短に応じた長さのカムドライバ部材を形成する必要がなく、上記のカムスライド支持基台の場合と相俟って、製造コストを更に大幅に低減できて、極めて汎用性に優れたものとできる。
【０００９】
本発明の第三の態様のカム装置では、第二の態様のカム装置において、カムドライバ部材の夫々に対応して、カムスライドをカムドライバに対して位置決めする位置決め機構が配されている。
【００１０】
第三の態様のカム装置によれば、カムスライドの長短に応じて位置決め機構を配することができるので、特に長いカムスライドの場合には、全域に亘ってカムスライドをカムドライバに正確に位置決めでき、而して、孔あけ誤差、折り曲げ誤差を低減できる。
【００１１】
本発明の第四の態様のカム装置は、第一から第三の態様のいずれかのカム装置であって、しかも、吊りカムタイプであり、この吊りカムタイプのカム装置では、カムスライドの長手方向両端部を移動自在に支持するカムスライド支持部材は、カムスライドを吊り下げる吊り下げ機構を具備している。
【００１２】
第四の態様の吊りカムタイプのカム装置では、両端部のカムスライド支持部材がカムスライドを吊り下げる吊り下げ機構を具備しているために、分解、組立が容易となり、保守作業を容易に行うことができる。
【００１３】
本発明の第五の態様のカム装置では、第四の態様のカム装置において、両端部のカムスライド支持部材は、互いに同形であって対称に配されている。
【００１４】
第五の態様のカム装置によれば、両端部のカムスライド支持部材が互いに同形であるために、特に各端部用として個別の二つのカムスライド支持部材を準備する必要がなく、一種類の端部用のカムスライド支持部材でもって、それを対称に配置することによってカム装置を形成でき、コスト低減を図ることができる。
【００１５】
本発明の第六の態様のカム装置では、第四又は第五の態様のカム装置において、両端部のカムスライド支持部材の間に他の複数のカムスライド支持部材が配される場合には、当該他の複数のカムスライド支持部材は、互いに同形に形成されている。
【００１６】
本発明においては、両端部のカムスライド支持部材の間には、少なくとも一個の他のカムスライド支持部材が配されるが、この他の複数のカムスライド支持部材が二個以上、すなわち複数個配される第六の態様のカム装置では、これらが互いに同形に形成されているために、一種類の他のカムスライド支持部材でもって、カムスライドの長短に応じてカムスライドの中間部を構成でき、製造コストを大幅に低減でき極めて汎用性のあるものにできる。
【００１７】
本発明の第七の態様のカム装置は、第一から第六の態様のいずれかのカム装置であって、しかも、吊りカムタイプであり、この吊りカムタイプのカム装置では、カムドライバ部材は、互いに同形に形成されている。
【００１８】
第七の態様の吊りカムタイプのカム装置によれば、カムドライバ部材が互いに同形に形成されているので、一種類のカムドライバ部材でもってカムスライドの長短に応じてカムドライバを構成でき、製造コストを大幅に低減でき極めて汎用性のあるものとできる。
【００１９】
本発明の第八の態様のカム装置では、第一から第七の態様のいずれかのカム装置において、カムスライド支持部材の夫々に対応して、カムスライドを初期位置に復帰させる復帰機構が配されている。
【００２０】
第八の態様のカム装置によれば、復帰機構がカムスライド支持部材の夫々に対応して配されているので、長尺のカムスライドへ均等に復帰力を与えることができ、復帰されなくなったり、復帰時間がかかる等の不都合をなくし得る。
【００２１】
本発明の第九の態様のカム装置では、第一から第八の態様のいずれかのカム装置において、カムスライド支持基台は、複数のカムスライド支持部材を共に固定するために共用の固定板を更に具備しており、この共用の固定板を介して複数のカムスライド支持部材は基盤に固定されている。
【００２２】
第九の態様のカム装置によれば、複数のカムスライド支持部材をまとめて共用の固定板に固定して、その後、このユニット化された複数のカムスライド支持部材を共用の固定板を介して基盤に固定できるために、カムスライド支持部材を個々に基盤に固定する場合と比較して、精度よく各カムスライド支持部材を基盤に固定できる上に、容易な固定作業を提供できる。
【００２３】
なお、本発明のカム装置は、上記のように吊りカムタイプのものであってもよいが、これに限定されず、置きカムタイプのものであってもよい。
【００２４】
【発明の実施の形態】
次に本発明及びその実施の形態を、図に示す例を参照して更に詳細に説明する。なお、本発明はこの例に何等限定されないのである。
【００２５】
図１から図３において、本例のカム装置１は、吊りカムタイプであって、カムドライバ支持基台２に固定的に支持されるようになっているカムドライバ３と、カムドライバ３の滑り面４に移動自在に接触するように、当該滑り面４と相補的な形状の滑り面５を有しており、移動方向、すなわちＸ及びＹ方向に対して直交する方向、すなわちＬ方向に長く伸びているカムスライド６と、カムスライド６の滑り面５とカムドライバ３の滑り面４との当接により、カムドライバ３の滑り面４に案内されてカムスライド６がＸ方向に移動し得るように、当該カムスライド６を移動自在に支持するカムスライド支持基台７とを備えている。
【００２６】
カムドライバ３は、カムスライド６の長手方向（Ｌ方向）において互いに分離された複数、本例では２個のカムドライバ部材２１ａ及び２１ｂを具備しており、カムドライバ部材２１ａ及び２１ｂの夫々は、互いに同形、同様に形成されて、カムドライバ支持基台２にボルト等により固定されている。以下、カムドライバ部材２１ａについて説明し、カムドライバ部材２１ｂについては、対応の構成に符号ｂを付して必要に応じて図示のみとする。
【００２７】
カムドライバ部材２１ａは、凹所２５ａを有して、カムドライバ支持基台２にボルトにより固定されたカムドライバ基部２６ａと、カムドライバ基部２６ａにボルト２７ａにより固定された一対の摺動板部２８ａとを具備しており、摺動板部２８ａの夫々の一方の面が、前記のカムドライバ３の滑り面４となっている。
【００２８】
カムスライド６は、前記の滑り面５がその傾斜面３０に形成された長尺のカムスライド本体３１と、ボルト３２によりカムスライド本体３１の長手方向の両端面３３におけるステップ凹部面４０の夫々に固着された摺動板３４とを具備しており、カムスライド本体３１は、カムドライバ部材２１ａ及び２１ｂの夫々の滑り面４に移動自在に接触するように、当該各滑り面４と相補的な形状の前記の滑り面５を有している。カムスライド本体３１の両端面３３の夫々には、矩形凹所３５が形成されている。
【００２９】
カムスライド支持基台７は、カムスライド６の長手方向において互いに分離された複数、本例では３個のカムスライド支持部材４１ａ、４１ｂ及び４１ｃを具備して、カムスライド支持部材４１ａ、４１ｂ及び４１ｃの夫々において、カムスライド６を移動自在に支持している。
【００３０】
カムスライド６の長手方向両端部を移動自在に支持する両端部のカムスライド支持部材４１ａ及び４１ｂの夫々は、互いに同形、同様に形成されて、しかも、対称に配され、油圧ラム等に取り付けられる基盤４３にボルト４４により固着されている。以下、カムスライド支持部材４１ａについて説明し、カムスライド支持部材４１ｂについては、対応の構成に符号ｂを付して必要に応じて図示のみする。
【００３１】
カムスライド支持部材４１ａは、支持本体部５１ａと、カムスライド本体３１の上面５２に対面して支持本体部５１ａにボルト５２ａにより固着された摺動板５３ａと、カムスライド６を吊り下げる吊り下げ機構５４ａと、カムスライド６の初期位置への復帰に際しての支持本体部５１ａへのカムスライド６の激突を緩衝する緩衝手段５５ａとを具備している。
【００３２】
支持本体部５１ａは、基部５６ａと、基部５６ａに一体的に形成された前壁部５７ａ及び後壁部５８ａとを具備しており、摺動板５３ａの下面５９ａは、カムスライド６の上面５２に摺動自在に接触しており、摺動板３４は、基部５６ａの内側面６５ａに摺動自在に接触している。
【００３３】
吊り下げ機構５４ａは、基部５６ａにボルト６０ａにより固着された板部材６１ａを具備しており、板部材６１ａは、カムスライド６の側面３３の矩形凹所３５に配されて、カムスライド６を摺動自在に吊り下げている。
【００３４】
緩衝手段５５ａは、後壁部５８ａにボルト６２ａにより固着された板部材６３ａと、板部材６３ａに貼着されたゴム等の緩衝部材６４ａとを具備している。
【００３５】
基盤４３にボルト７０により固着されたカムスライド支持部材４１ｃは、支持本体部７１ｃと、カムスライド本体３１の上面５２に対面して支持本体部７１ｃにボルト７２ｃにより固着された一対の摺動板７３ｃ及び７４ｃと、カムスライド６の初期位置への復帰に際しての支持本体部７１ｃへのカムスライド６の激突を緩衝する緩衝手段７５ｃとを具備している。
【００３６】
支持本体部７１ｃは、基部７６ｃと、基部７６ｃに一体的に形成された前壁部７７ｃ及び後壁部７８ｃとを具備しており、摺動板７３ｃ及び７４ｃの下面７９ｃ及び８０ｃの夫々は、カムスライド本体３１の上面５２に摺動自在に接触しており、緩衝手段７５ｃは、後壁部７８ｃにボルト８１ｃにより固着された板部材８２ｃと、板部材８２ｃに貼着されたゴム等の緩衝部材８３ｃとを具備している。カムスライド支持部材４１ｃの支持本体部７１ｃは、カムスライド支持部材４１ａの支持本体部５１ａと異なり、図３において左右対称に形成されている。
【００３７】
本例のカム装置１には、以上のほかに、カムドライバ部材２１ａ及び２１ｂの夫々に対応して、カムスライド６をカムドライバ３に対して位置決めする位置決め機構９１ａ及び９１ｂと、カムスライド支持部材４１ａ、４１ｂ及び４１ｃの夫々に対応して、カムスライド６を初期位置に復帰させる復帰機構９２ａ、９２ｂ及び９２ｃとが配されている。位置決め機構９１ａと位置決め機構９１ｂとは互いに同様に構成されており、以下、位置決め機構９１ａについて説明し、位置決め機構９１ｂについては、対応の構成に符号ｂを付して必要に応じて図示のみし、また、復帰機構９２ａ、９２ｂ及び９２ｃも、互いに同様に構成されており、以下、復帰機構９２ａについて説明し、復帰機構９２ｂ及び９２ｃについては、対応の構成に符号ｂ及びｃを夫々付して必要に応じて図示のみする。
【００３８】
位置決め機構９１ａは、ボルト１０１ａにより凹所２５ａにおいてカムドライバ基部２６ａに固着されて、上面側が断面略凸Ｖ形に形成された摺動嵌合受部材１０２ａと、ボルト１０３ａによりカムスライド本体３１の傾斜面３０に固着されて、下面側が、摺動受部材１０２ａの断面略凸Ｖ形の上面側に相補的な断面略凹Ｖ形に形成された摺動嵌合部材１０４ａとを具備している。
【００３９】
位置決め機構９１ａは、摺動嵌合受部材１０２ａと摺動嵌合部材１０４ａとの互いのその断面略凸Ｖ形の上面側と断面略凹Ｖ形の下面側との摺動自在な嵌合によりカムスライド６をカムドライバ３に対してＬ方向に関して位置決めするようになっている。
【００４０】
復帰機構９２ａは、カムスライド本体３１の上面５２にボルト１１１ａにより固着された断面Ｌ形の連結部材１１２ａと、連結部材１１２ａの二股部１１３ａに嵌着された鍔付きブッシュ１１４ａを貫通して配されたロッド１１５ａと、連結部材１１２ａをＸ方向に弾性的に付勢するように、ロッド１１５ａの周りに配された弾性手段としてのコイルばね１１６ａとを具備しており、ロッド１１５ａは、その一端１２１ａが、ボルト１２２ａにより基部５６ａ（基部７６ｃ）に固着された支持部材１２３ａに支持され、その他端１２４ａが、ボルト１２５ａにより基部５６ａ（基部７６ｃ）に固着された支持部材１２６ａに支持されて、前壁部５７ａ（前壁部７７ｃ）と後壁部５８ａ（後壁部７８ｃ）との間に配されており、コイルばね１１６ａは、支持部材１２３ａとブッシュ１１４ａとの間に配されている。
【００４１】
復帰機構９２ａは、図１及び２に示すように、基盤４３に連結された油圧ラム（図示せず）の作動による基盤４３及びカムスライド支持基台７のＤ方向の下降で、図１及び２に示すように、カムドライバ部材２１ａ及び２１ｂによりカムスライド６がＹ方向に移動された後に、油圧ラムの逆作動により基盤４３と共にカムスライド支持基台７がＵ方向に上昇される際に、カムスライド６をコイルばね１１６ａの弾性力によりＸ方向に移動させて、図４に示す初期位置にカムスライド６を復帰させるようになっている。
【００４２】
以上のカム装置１は、図４に示す初期位置にカムスライド６が復帰された状態で油圧ラムが作動されて、基盤４３と共にカムスライド支持基台７がＤ方向に下降されると、カムスライド６は、その滑り面５のカムドライバ３の滑り面４への当接と、摺動嵌合受部材１０２ａの断面略凸Ｖ形の上面側への摺動嵌合部材１０４ａの断面略凹Ｖ形の下面側の摺動自在な嵌合とにより、図１及び図２に示すようにＹ方向に移動され、而して、カムスライド本体３１の一端面にボルト１３１により取り付けられた工具１３２で、例えば折り曲げの加工を施すようになっている。折り曲げの加工後、油圧ラムが逆作動されて、基盤４３と共にカムスライド支持基台７がＵ方向に上昇されると、カムスライド６は、その滑り面５のカムドライバ３の滑り面４への当接解除と摺動嵌合受部材１０２ａの断面略凸Ｖ形の上面側への摺動嵌合部材１０４ａの断面略凹Ｖ形の下面側の嵌合解除と共に、復帰機構９２ａ、９２ｂ及び９２ｃにより図４に示すようにＸ方向に移動されて、初期位置に復帰されるようになっている。
【００４３】
カム装置１では、カムスライド支持基台７が互いに分割された複数のカムスライド支持部材４１ａ、４１ｂ及び４１ｃからなるので、カムスライド６の長短に応じて、カムスライド支持部材４１ｃの個数を決定して、この決定した個数のカムスライド支持部材４１ｃでカム装置を形成でき、而して、カムスライド６の長短に応じた長さのカムスライド支持基台７を形成する必要がなく、製造コストを大幅に低減できて、極めて汎用性に優れたものとできる。
【００４４】
またカム装置１では、両端部のカムスライド支持部材４１ａ及び４１ｂが互いに同形であるために、特に各端部用として個別の二つのカムスライド支持部材を準備する必要がなく、一種類の端部用のカムスライド支持部材でもって、それを対称に配置することによってカム装置を形成できる。
【００４５】
加えてカム装置１では、カムドライバ３が互いに分割されたカムドライバ部材２１ａ及び２１ｂからなるので、カムスライド６の長短に応じて、カムドライバ部材２１ａ及び２１ｂの個数を決定して、この決定した個数のカムドライバ部材でカム装置を形成でき、カムスライド６の長短に応じた長さのカムドライバ部材を形成する必要がなく、上記と相俟って、製造コストを更に大幅に低減できて、極めて汎用性に優れたものとできる。
【００４６】
更にカム装置１では、カムスライド６の長短に応じて位置決め機構９１ａ及び９１ｂを配することができるので、特に長いカムスライド６の場合には、全域に亘ってカムスライド６をカムドライバ３に正確に位置決めでき、而して、孔あけ誤差、折り曲げ誤差を低減できる。
【００４７】
加えてカム装置１では、両端部のカムスライド支持部材４１ａ及び４１ｂがカムスライド６を吊り下げる吊り下げ機構５４ａ及び５４ｂを具備しているために、分解、組立が容易となり、保守作業を容易に行うことができる。
【００４８】
更にまた上記のカム装置１によれば、カムドライバ部材２１ａ及び２１ｂが互いに同形に形成されているので、一種類のカムドライバ部材でもってカムスライド６の長短に応じてカムドライバ３を構成でき、製造コストを大幅に低減でき極めて汎用性のあるものにできる。
【００４９】
また上記のカム装置１によれば、復帰機構９２ａ、９２ｂ及び９２ｃがカムスライド支持部材４１ａ、４１ｂ及び４１ｃの夫々に対応して配されているので、長尺のカムスライド６へ均等に復帰力を与えることができ、復帰されなくなったり、復帰時間がかかる等の不都合をなくし得る。
【００５０】
ところで、上記のカム装置１では、カムスライド支持部材４１ａ、４１ｂ及び４１ｃの夫々の支持本体部５１ａ、５１ｂ及び７１ｃに摺動板５３ａ及び５３ｂ並びに７３ｃ及び７４ｃを夫々固着し、カムスライド本体３１の上面に復帰機構９２ａ、９２ｂ及び９２ｃを夫々連結したが、これに代えて、図５から図７に示すように、摺動板５３ａ及び５３ｂ並びに７３ｃ及び７４ｃの夫々を、カムスライド本体３１の上面にボルト５２ａ、５２ｂ及び７２ｃの夫々により固着して、カムスライド本体３１を貫通して復帰機構９２ａ、９２ｂ及び９２ｃの夫々を設けて、カム装置１を形成してもよい。
【００５１】
図５から図７に示す復帰機構９２ａ、９２ｂ及び９２ｃは、夫々同様に構成されており、以下、復帰機構９２ａについて説明し、復帰機構９２ｂ及び９２ｃについては、対応の構成に符号ｂ及びｃを付して必要に応じて図示のみする。
【００５２】
図５から図７に示す復帰機構９２ａは、カムスライド本体３１に形成された有底孔１５１ａに配された弾性手段としてのコイルばね１５２ａと、コイルばね１５２ａに取り囲まれており、有底孔１５１ａを通ってカムスライド本体３１を貫通して配されていたロッド１５３ａとを具備しており、コイルばね１５２ａは、有底孔１５１ａの底面１６１ａとロッド１５３ａの一端の膨大部１６２ａとの間に配されており、ロッド１５３ａは、両端に膨大部１６２ａ及び１６３ａを有して、前壁部５７ａ（前壁部７７ｃ）及び後壁部５８ａ（後壁部７８ｃ）間に若干の隙間をもって配されている。
【００５３】
図５から図７に示す復帰機構９２ａは、図１から図３に示す復帰機構９２ａと同様に、カムスライド６をコイルばね１５２ａの弾性力によりＸ方向に移動させて、図８に示す初期位置にカムスライド６を復帰させるようになっている。
【００５４】
図５から図７に示すカム装置１も、図１から図３に示すカム装置１と同様に動作して、同様な効果を奏し得る。
【００５５】
なお、上記のカム装置１において、両端部のカムスライド支持部材４１ａ及び４１ｂの間に２個以上のカムスライド支持部材４１ｃを配する場合には、これら複数のカムスライド支持部材４１ｃを互いに同形に形成したものを用いるとよく、したがって、一種類のカムスライド支持部材４１ｃでもって、カムスライド６の長短に応じて中間のカムスライドを構成でき、製造コストを大幅に低減でき極めて汎用性のあるものにできる。
【００５６】
また、カム装置１においては、複数のカムスライド支持部材４１ａ、４１ｂ及び４１ｃを個々にボルト４４及び７０により基盤４３に固定したが、これに代えて、図９及び１０に示すように、カムスライド支持部材４１ａ、４１ｂ及び４１ｃを共に固定するために共用の固定板２０１を更に具備してカムスライド支持基台７を構成し、共用の固定板２０１を介してカムスライド支持部材４１ａ、４１ｂ及び４１ｃを基盤４３に同時に固定するようにしてもよい。ここで、カムスライド支持部材４１ａ、４１ｂ及び４１ｃは、まず、固定板２０１にボルト４４及び７０により固定されてユニット化され、このユニット化されたカムスライド支持部材４１ａ、４１ｂ及び４１ｃは、固定板２０１がボルト２０２により基盤４３に固着されて、当該固定２０１を介して基盤４３に固定される。
【００５７】
図９及び１０に示すように、固定板２０１によりカムスライド支持部材４１ａ、４１ｂ及び４１ｃをユニット化することにより、カムスライド支持部材４１ａ、４１ｂ及び４１ｃを個々に基盤４３に固定する場合と比較して、精度よくカムスライド支持部材４１ａ、４１ｂ及び４１ｃの夫々を基盤４３に固定できる上に、容易な組み付け、分解作業を提供できるようになる。
【００５８】
なお、カムスライド支持部材４１ａ、４１ｂ及び４１ｃと基盤４３との間に固定板２０１を介在させる場合には、複数の固定キー（剪断キー）２０３及び２０４を固定板２０１と基盤４３との間に介在させると、固定板２０１を基盤４３にしっかりと固定できて好ましい。
【００５９】
また、図９及び１０に示す固定板２０１を具備したカムスライド支持基台７を、図５から図７に示すカム装置１にも同様にして適用することができる。
【００６０】
【発明の効果】
本発明によれば、カムスライドの長短に応じてカムスライド支持基台及びカムドライバを準備する必要がなく、極めて汎用性に優れたカム装置を提供することができる。
【図面の簡単な説明】
【図１】本発明の実施の形態の好ましい例の図３に示すＩ−Ｉ線断面図である。
【図２】本発明の実施の形態の好ましい例の図３に示すＩＩ−ＩＩ線断面図である。
【図３】本発明の実施の形態の好ましい例の正面断面図である。
【図４】図１に示す例の動作説明図である。
【図５】本発明の実施の形態の好ましい他の例の図７に示すＶ−Ｖ線断面図である。
【図６】本発明の実施の形態の好ましい例の図７に示すＶＩ−ＶＩ線断面図である。
【図７】本発明の実施の形態の好ましい他の例の正面断面図である。
【図８】図５に示す例の動作説明図である。
【図９】本発明の実施の形態の好ましい他の例の図１に相当する断面図である。
【図１０】図９に示す他の例の図３に相当する正面断面図である。
【符号の説明】
１  カム装置
２  カムドライバ支持基台
３  カムドライバ
４、５  滑り面
６  カムスライド
７  カムスライド支持基台
４１ａ  カムスライド支持部材
【図１】
0004277395.tif 000002
【図２】
0004277395.tif 000003
【図３】
0004277395.tif 000004
【図４】
0004277395.tif 000005
【図５】
0004277395.tif 000006
【図６】
0004277395.tif 000007
【図７】
0004277395.tif 000008
【図８】
0004277395.tif 000009
【図９】
0004277395.tif 000010
【図１０】
0004277395.tif 000011